(57)【要約】【課題】簡単な構造で安価に施工でき、既設のスクリーンにも容易に取り付けることができる水路スクリーンの塵埃排除装置を提供することである。【解決手段】河川１の取水口２に設けられたスクリーンとしての柵３の前面側で、複数のエア配管４を幅方向に配列し、各エア配管４に設けたエア噴出口からのエア噴射で、柵３の前面に付着する塵埃Ａを離隔させることにより、塵埃排除装置を簡単な構造で安価に施工でき、既設の水路スクリーンにも容易に取り付けることができるものとした。【選択図】　図２
2004068269.tif 000002
【特許請求の範囲】
【請求項１】
水路スクリーンに複数のエア噴出口を前方へ向けて配設し、前記スクリーンの前面に付着する塵埃を、前記各エア噴出口からのエア噴射により、スクリーンから離隔させて排除するようにした水路スクリーンの塵埃排除装置。
【請求項２】
前記エア噴出口を、前記スクリーンの幅方向に配列され、水面下に挿入されるエア配管に設け、これらのエア配管に、前記スクリーンの幅方向一端側のものから順次エアを供給して、それぞれのエア噴出口からエアを噴射するようにした請求項１に記載の水路スクリーンの塵埃排除装置。
【請求項３】
前記水面下に挿入される各エア配管の長手方向に沿って、複数のエア噴出口を設けた請求項２に記載の水路スクリーンの塵埃排除装置。
【請求項４】
前記スクリーンが、河川の取水口に設けられたものであり、前記エア噴射によりスクリーンから離隔させた塵埃を、河川の下流側に流して排除するようにした請求項１乃至３のいずれかに記載の水路スクリーンの塵埃排除装置。
【発明の詳細な説明】
【０００１】
【発明の属する技術分野】
この発明は、水路スクリーンに付着する塵埃を排除する装置に関するものである。
【０００２】
【従来の技術】
河川の取水口等には、流木やごみ等の塵埃の侵入を防止するために、柵やネットで形成された水路スクリーンが取り付けられている。このような塵埃の一部は、スクリーンの前面に付着して取水口等を塞ぐので、適宜スクリーンから排除する必要がある。
【０００３】
この種の水路スクリーンの塵埃排除装置としては、スクリーン自体を移動回転させるものや、塵埃を集める往復式や回転式のレーキを設けたものがある。
【０００４】
【発明が解決しようとする課題】
上述した従来の塵埃排除装置は、スクリーンやレーキを駆動するために、チェーンや歯車等の駆動伝達機構を必要とするので、構造が複雑なものとなり、施工費用も高価になる問題がある。また、スクリーン自体を駆動するものを既設の水路スクリーンに採用する場合は、スクリーン全体をリプレースする必要があるので、施工費用がさらに高価なものとなる。
【０００５】
そこで、この発明の課題は、簡単な構造で安価に施工でき、既設のスクリーンにも容易に取り付けることができる水路スクリーンの塵埃排除装置を提供するこである。
【０００６】
【課題を解決するための手段】
上記の課題を解決するために、この発明の水路スクリーンの塵埃排除装置は、水路スクリーンに複数のエア噴出口を前方へ向けて配設し、前記スクリーンの前面に付着する塵埃を、前記各エア噴出口からのエア噴射により、スクリーンから離隔させて排除する構成を採用した。
【０００７】
すなわち、エア噴射でスクリーンの前面に付着する塵埃を離隔させることにより、複雑な駆動伝達機構なしで塵埃を排除できるようにし、簡単な構造で安価に施工でき、既設のスクリーンにも容易に取り付け可能なものとした。
【０００８】
前記エア噴出口を、前記スクリーンの幅方向に配列され、水面下に挿入されるエア配管に設け、これらのエア配管に、前記スクリーンの幅方向一端側のものから順次エアを供給して、それぞれのエア噴出口からエアを噴射することにより、少ない噴射エアの供給量で、塵埃を効率よくスクリーンから離隔させることができる。
【０００９】
前記水面下に挿入される各エア配管の長手方向に沿って、複数のエア噴出口を設けることにより、水路の水位が変化しても、塵埃を効率よくスクリーンから離隔させることができる。
【００１０】
前記スクリーンが河川の取水口に設けられたものである場合は、前記エア噴射によりスクリーンから離隔させた塵埃を、そのまま河川の下流側に流して排除することができる。
【００１１】
【発明の実施の形態】
以下、図１乃至図５に基づき、この発明の実施形態を説明する。図１および図２は、本発明に係る水路スクリーンの塵埃排除装置を取り付けた河川１の取水口２を示す。水路スクリーンは、取水口２に斜め上下方向へ差し渡された柵３で形成され、河川１の堤防に沿わされた複数のエア配管４が、柵３の前面側で水面下に挿入されている。各エア配管４は、柵３の１本おきの間隔で幅方向に配列され、取水口２の前面に差し渡された水平バー５に固定されている。
【００１２】
図１および図３に示すように、前記各エア配管４は、それぞれ別々の電磁弁６を介して堤防上の加圧タンク７に接続され、加圧タンク７は手動開閉弁８が設けられた配管でブロワ９に接続されている。加圧タンク７には、ブロワ９の作動による圧力上昇を検知する圧力スイッチ１０が設けられている。
【００１３】
また、図３および図４に示すように、各エア配管４は差し込み式の管継手１１で延長され、水面下に挿入される下部には、その長手方向に沿って所定の間隔で、２つずつのエア噴出口１２が柵３の前方に向けて設けられている。なお、各エア配管４の下端にはノズル１３が取り付けられており、このノズル１３からのエア噴射により、適宜、取水口２の底に堆積する土砂も排除できるようになっている。
【００１４】
つぎに、図５（ａ）に示すように柵３の前面に付着した塵埃Ａを排除する手順を説明する。なお、河川１は向かって右側から左側へ流れている。図５（ｂ）、（ｃ）に示すように、前記各エア配管４の電磁弁６は、河川１の上流側の向かって右側に配列されたエア配管４から順に開けられ、各エア噴出口１２からのエア噴射により、絡み合った塵埃Ａは柵３の前面右側に付着したものから順に離隔する。図５（ｄ）に示すように、向かって左端に配列されたエア配管４までエア噴射が行われると、絡み合った塵埃Ａは全て柵３から離隔し、図中に矢印で示すように、河川１の下流側に流されて排除される。
【００１５】
上記した実施形態では、河川の取水口に設けられた水路スクリーンの塵埃排除装置を示したが、本発明に係る塵埃排除装置は、湖やダム等に設けられた水路スクリーンにも採用することができる。
【００１６】
【発明の効果】
以上のように、この発明の水路スクリーンの塵埃排除装置は、エア噴射でスクリーンの前面に付着する塵埃を離隔させることにより、複雑な駆動伝達機構なしで塵埃を排除できるようにしたので、簡単な構造で安価に施工でき、既設のスクリーンにも容易に取り付けることができる。
【００１７】
また、前記エア噴出口を、スクリーンの幅方向に配列され、水面下に挿入されるエア配管に設け、これらのエア配管に、スクリーンの幅方向一端側のものから順次エアを供給して、それぞれのエア噴出口からエアを噴射することにより、少ない噴射エアの供給量で、塵埃を効率よくスクリーンから離隔させることができる。
【００１８】
さらに、前記水面下に挿入される各エア配管の長手方向に沿って、複数のエア噴出口を設けることにより、水路の水位が変化しても、塵埃を効率よくスクリーンから離隔させることができる。
【図面の簡単な説明】
【図１】本発明に係る水路スクリーンの塵埃排除装置を取り付けた取水口を示す縦断面図
【図２】図１の取水口を示す一部省略斜視図
【図３】図１の塵埃排除装置をを示す一部省略正面図
【図４】図１の取水口の要部を拡大して示す縦断面図
【図５】ａ、ｂ、ｃ、ｄは、それぞれ図１のスクリーンに付着した塵埃を排除する手順を示す斜視図
【符号の説明】
１　河川
２　取水口
３　柵
４　エア配管
５　水平バー
６　電磁弁
７　加圧タンク
８　手動開閉弁
９　ブロワ
１０　圧力スイッチ
１１　管継手
１２　エア噴出口
１３　ノズル
【図１】
2004068269.tif 000003
【図２】
2004068269.tif 000004
【図３】
2004068269.tif 000005
【図４】
2004068269.tif 000006
【図５】
2004068269.tif 000007